(57)【要約】  【課題】本体の大重量化を防止でき、かつ、設置場所を移動させる際等に過大な力を必要としない構成の文具を実現する。  【解決手段】文具本体を吸盤により被吸着面に吸着させることができる文具において、前記被吸着面と前記吸盤との間に形成される空間を外気に連通させるための連通路と、この連通路を開閉する開閉手段とを備える構成を採用する。【選択図】図１１
2018144973.tif 000002
【特許請求の範囲】
【請求項１】
文具本体を吸盤により被吸着面に吸着させることができる文具であって、
前記被吸着面と前記吸盤との間に形成される空間を外気に連通させるための連通路と、この連通路を開閉する開閉手段とを備えた文具。
【請求項２】
前記文具本体が、巻装状態のテープを保持するテープ保持手段と、このテープ保持手段側から順次引き出されるテープの先端側を切り離すためのテープ切断手段とを有するテープカッター本体である請求項１記載の文具。
【請求項３】
前記文具本体が、前記吸盤を保持する基体と、この基体に対して一定のストロークだけ進退可能な可動体とを備えたものであり、
前記開閉手段が、弁座と、この弁座に密着して前記連通路を遮断する閉止位置から前記弁座から離れて前記連通路を開通させる開き位置までの間で進退可能な吸盤弁とを備えたものであり、前記可動体が一定の方向に操作された場合に前記吸盤弁が閉止位置から開き位置に応動するように構成されている請求項１又は２記載の文具。
【請求項４】
前記弁座と、この弁座に接離する前記吸盤弁の弁体とを、ともに同一素材による弾性体により構成している請求項３記載の文具。
【請求項５】
前記可動体と前記吸盤弁との間に、前記可動体の初期微動を吸収して前記吸盤弁に伝達されるのを防止する遊び部分が設けられている請求項３又は４記載の文具。
【請求項６】
前記文具本体が、巻装状態のテープを保持するテープ保持手段と、このテープ保持手段側から順次引き出されるテープの先端側を切り離すためのテープ切断手段とを有するテープカッター本体であり、前記テープカッター本体が、底面側に前記吸盤を保持した前記基体と、この基体に対して上下方向に進退可能に設けられた前記可動体とを備えてなり、前記基体に、テープ切断手段を構成する刃物と、前記巻装状態のテープを回転可能に支持する前記テープ保持手段たるテープ保持軸とが設けられている請求項３、４又は５記載の文具。
【請求項７】
前記文具本体の底面に前記吸盤を保持したものであって、
前記文具本体の底面における前記テープ切断手段を配した側の端縁と前記吸盤の軸心との間の距離が、前記吸盤の半径よりも大きく設定されている請求項２又は６記載の文具。
【請求項８】
前記文具本体が、前記吸盤に対して当該吸盤の軸心周りに旋回し得るように構成されている請求項１、２、３、４、５、６又は７記載の文具。
【請求項９】
前記吸盤を水平な被吸着面に吸着させて使用される文具であって、
前記文具本体が、その重心を前記吸盤の軸心上に位置させるための重心設定用の重りを備えたものである請求項１、２、３、４、５、６、７又は８記載の文具。
【発明の詳細な説明】
【技術分野】
【０００１】
本発明は、オフィス等で好適に使用されるテープカッター等の文具に関するものである。
【背景技術】
【０００２】
従来、例えばテープカッターとして、巻装状態のテープを回転自在に保持するテープ保持要素と、このテープ保持要素側から順次引き出されるテープの先端側を切り離すためのテープ切断要素とを備えたものが知られている。
【０００３】
かかるテープカッターとしては、種々のものが開発され普及しているが、比較的大量にテープを使用するオフィスや店舗等においては、テープの端を片手で引き出して切り取ることができる卓上式のものがよく使用されている。
【０００４】
しかして、この種のテープカッターでは、テープ引出し操作時にテープを保持しているテープカッター本体がずれ動くのを防止するために、その本体を重いものにしているのが一般的である。
【０００５】
ところが、このような重いものでは、運搬や保管の際に不便であるだけでなく、オフィス等において設置位置を移動させる際にも、大きな力が必要となる。
【０００６】
また一方で、テープカッター本体の底部に吸盤を設けておき、この吸盤を天板面等に吸着させて使用時のテープカッター本体のずれ動きを防止しようとしたものもある（例えば、例えば、特許文献１を参照）。
【０００７】
ところが、このような構成のものでは、本体の大重量化を防止することはできても、設置場所を移動させる際等に前記吸盤の吸着を引きはがす必要があり、過大な力を要するという問題がある。
【０００８】
以上の不具合に準じた不具合は、使用時に外力が作用する可能性のあるテープカッター以外の種々の文具でも同様に存在するものであり、何らかの改善が望まれている。
【先行技術文献】
【特許文献】
【０００９】
【特許文献１】実開平１−２９３５１号公報
【発明の概要】
【発明が解決しようとする課題】
【００１０】
本発明は以上の点に着目し、本体の大重量化を防止でき、かつ、設置場所を移動させる際等に過大な力を必要としない構成の文具を実現することを目的とする。
【課題を解決するための手段】
【００１１】
請求項１記載の文具は、文具本体を吸盤により被吸着面に吸着させることができる文具であって、前記被吸着面と前記吸盤との間に形成される空間を外気に連通させるための連通路と、この連通路を開閉する開閉手段とを備えたものである。
【００１２】
請求項２記載の文具は、請求項１記載の構成のものにおいて、前記文具本体が、巻装状態のテープを保持するテープ保持手段と、このテープ保持手段側から順次引き出されるテープの先端側を切り離すためのテープ切断手段とを有するテープカッター本体である。
【００１３】
請求項３記載の文具は、請求項１又は２記載の構成のものにおいて、前記文具本体が、前記吸盤を保持する基体と、この基体に対して一定のストロークだけ進退可能な可動体とを備えたものであり、前記開閉手段が、弁座と、この弁座に密着して前記連通路を遮断する閉止位置から前記弁座から離れて前記連通路を開通させる開き位置までの間で進退可能な吸盤弁とを備えたものであり、前記可動体が一定の方向に操作された場合に前記吸盤弁が閉止位置から開き位置に応動するように構成されている。
【００１４】
請求項４記載の文具は、請求項３記載の構成のものにおいて、前記弁座と、この弁座に接離する前記吸盤弁の弁体とを、ともに同一素材による弾性体により構成している。
【００１５】
請求項５記載の文具は、請求項３又は４記載の構成のものにおいて、前記可動体と前記吸盤弁との間に、前記可動体の初期微動を吸収して前記吸盤弁に伝達されるのを防止する遊び部分が設けられている。
【００１６】
請求項６記載の文具は、請求項３、４又は５記載の構成のものにおいて、前記文具本体が、巻装状態のテープを保持するテープ保持手段と、このテープ保持手段側から順次引き出されるテープの先端側を切り離すためのテープ切断手段とを有するテープカッター本体であり、前記テープカッター本体が、底面側に前記吸盤を保持した前記基体と、この基体に対して上下方向に進退可能に設けられた前記可動体とを備えてなり、前記基体に、テープ切断手段を構成する刃物と、前記巻装状態のテープを回転可能に支持する前記テープ保持手段たるテープ保持軸とが設けられている。
【００１７】
請求項７記載の文具は、請求項２又は６記載の構成のものにおいて、前記テープカッター本体の底面に前記吸盤を保持したものであって、前記テープカッター本体の底面における前記テープ切断手段を配した側の端縁と前記吸盤の軸心との間の距離が、前記吸盤の半径よりも大きく設定されている。
【００１８】
請求項８記載の文具は、請求項１、２、３、４、５、６又は７記載の構成のものにおいて、前記文具本体が、前記吸盤に対して当該吸盤の軸心周りに旋回し得るように構成されている。
【００１９】
請求項９記載の文具は、請求項１、２、３、４、５、６、７又は８記載の構成のものにおいて、前記吸盤を水平な被吸着面に吸着させて使用される文具であって、前記文具本体が、その重心を前記吸盤の軸心上に位置させるための重心設定用の重りを備えたものである。
【発明の効果】
【００２０】
本発明によれば、本体の大重量化を防止でき、かつ、設置場所を移動させる際等に過大な力を必要としない構成の文具を実現することができる。
【図面の簡単な説明】
【００２１】
【図１】本発明の第一実施形態に係るテープカッターの全体斜視図。
【図２】同実施形態に係るテープカッターの左側面図。
【図３】同実施形態に係るテープカッターの正面図。
【図４】同実施形態に係るテープカッターの底面図。
【図５】同実施形態に係るテープカッターを一部破断して示す斜視図。
【図６】図３におけるＡ−Ａ断面図。
【図７】同実施形態に係るテープカッターの分解斜視図。
【図８】同実施形態に係るテープカッターの分解斜視図。
【図９】同実施形態に係るテープカッターの分解斜視図。
【図１０】同実施形態に係るテープカッターの要部分解斜視図。
【図１１】同実施形態の作用説明図。
【図１２】同実施形態の作用説明図。
【図１３】同実施形態の作用説明図。
【発明を実施するための形態】
【００２２】
本発明の一実施形態を、図１〜図１３を参照しつつ以下に示す。
【００２３】
本実施形態の文具は、デスクの天板上などに配置して使用されるテープカッターＴである。なお、この明細書においては、説明の便宜上、使用者からの視点を基準にして「前」「後」「左」「右」という文言を使用するものであり、使用者側から見た手前側を「前」として説明する。
【００２４】
このテープカッターＴは、図２〜図６に示すように、巻装状態のテープｔを保持するテープ保持手段と、このテープ保持手段側から引き出されるテープｔの先端側を順次切り離すためのテープ切断手段とを有する文具本体たるテープカッター本体１と、このテープカッター本体１の底部に設けられた吸盤２とを具備してなるもので、前記テープカッター本体１を吸盤２により被吸着面Ｓである前記天板の上面に吸着させることができるようになっている。
【００２５】
そしてこのテープカッターＴは、図５及び図６に示すように、前記被吸着面Ｓと前記吸盤２との間に形成される空間ＳＰを外気に連通させるための連通路３と、この連通路３を開閉する開閉手段４とを備えてなるものである。
【００２６】
＜テープカッター本体１＞
前記テープカッター本体１は、図１〜図３、図５及び図６に示すように、底面側に前記吸盤２を保持する基体５と、この基体５に対して一定のストローク（後述する吸盤弁９のストロークｓ１＋遊び分のストロークｓ２）だけ上下方向に進退可能な可動体６とを備えたものである。
【００２７】
前記基体５には、図１〜図３、図５及び図６に示すように、テープ切断手段を構成する刃物１１と、前記巻装状態のテープｔを回転可能に支持する前記テープ保持手段たるテープ保持軸１３とが設けられている。
【００２８】
詳述すれば、この基体５は、図１〜図６に示すように、右側方に解放されたボディ本体１９及びテープｔを保持するテープ保持部２１を備えたメインボディ１５と、このメインボディ１５のボディ本体１９の開放部１５ｘを閉塞するサブボディ１７とを備えている。
【００２９】
前記メインボディ１５のボディ本体１９は、図１〜図１０に示すように、前記吸盤２が取り付けられた底壁２３と、この底壁２３の前縁から斜め上前方に向けて立設された前壁２５と、この前壁２５の上端に連続して設けられ後方に向けてほぼ水平に伸びるテープ受け２７と、前記テープ受け２７の後端から斜め下後方に連続して設けられる天壁２９と、前記底壁２３の後縁から斜め上後方に向けて立設された後壁３１と、これら後壁３１、底壁２３、前壁２５及び天壁２９の左側縁に連続させて設けられた側壁３３とを備えたものである。前記底壁２３には、前記吸盤２を収容するための円形凹陥部２３ａと、この円形凹陥部２３ａの中心部分に設けられた吸盤取付用のボス部２３ｂとを備えている。前記前壁２５の上端近傍部には、前記刃物１１及びこの刃物１１を固定するための刃物押え２６を収容するための凹陥部２５ａが形成されている。前記側壁３３の内面には、前壁２５の内面に沿って右側方に伸びる弾性爪３５と、後壁３１の内面に沿って右側方に伸びる弾性爪３６とが突設されている。
【００３０】
前記メインボディ１５のテープ保持部２１は、図６〜図１０に示すように、中心部に貫通孔２１ａを有する円環状のもので、その外周縁部から左側方に向けて延出された上下の外周壁３７、３９と、前記貫通孔２１ａの周縁部から左側方に向けて延設された内周壁４１とを備えており、前記下の外周壁３９が前記ボディ本体１９に一体化されている。このテープ保持部２１には、前記可動体６を構成するメインカバー４３を取り付けるための爪受けスリット２１ｂ及び前記メインカバー４３を昇降可能に案内するための案内溝２１ｃが形成されている。前記下の外周壁３９には、後述するメインカバー４３の吸盤弁駆動部４５を上下摺動可能に保持する切欠３９ａが設けられている。また、前記内周壁４１の上部には、後述するメインカバー４３の部分円筒状をなす内周壁部５９を位置させる為の切欠部４１ａが設けられており、この一部が切り欠かれた円筒体状をなす内周壁４１が前記巻装状態のテープｔを回転可能に支持するテープ保持軸１３を構成している。すなわち、このテープ保持軸１３は、円環状をなす巻装状態のテープｔを回転自在に保持するためのもので、前述したテープ保持手段として機能する。なお、図７〜図１０においては、テープｔは図示を省略してある。
【００３１】
以上説明したメインボディ１５の右側面に形成された前記開放部１５ｘには、図１及び図３〜図１０に示すように、前記サブボディ１７が装着されている。前記サブボディ１７は、前記開放部１５ｘを閉塞し得る形状をなす板状のもので、その周縁部に前記開放部１５ｘにインロー状態で嵌合する突条部４７を備えている。このサブボディ１７には、前記メインボディ１５のボディ本体１９の弾性爪３５、３６と係合し得る係合爪４９、５０が設けられており、この係合爪４９、５０と前記弾性爪３５、３６とが係合した状態でこのサブボディ１７が前記メインボディ１５に固定されるようになっている。また、このサブボディ１７の内面には、前記可動体６の上動を規制するストッパ５１が設けられている。
【００３２】
一方、前記可動体６は、図１及び図３〜図５に示すように、前記メインボディ１５のテープ保持部２１を右側面側から覆うメインカバー４３と、前記テープ保持部２１を左側面側から覆うサブカバー５３とを備えている。
【００３３】
前記メインカバー４３は、図１及び図５〜図１０に示すように、中心部に貫通孔５５ａを有する円環状のカバー本体５５と、このカバー本体５５の外周縁部から左側方に向けて延出された外周壁部５７と、前記貫通孔５５ａの周縁部から左側方に向けて延設された部分円筒状をなす内周壁部５９と、前記カバー本体５５の下端部に設けられた吸盤弁駆動部４５とを備えている。
【００３４】
前記メインカバー４３のカバー本体５５は、図７〜図１０に示すように、円環状をなす板状のもので、その内面に、前記テープ保持部２１の爪受けスリット２１ｂに上下方向に摺動可能に係り合う係合爪６１と、前記テープ保持部２１の案内溝２１ｃに上下方向に摺動可能に係り合う突条６３とが設けられている。
【００３５】
前記メインカバー４３の前記外周壁部５７は、図１、図３、図５及び図７〜図１０に示すように、下端部を除き円周方向に連続する部分円筒体状のもので、前記メインボディ１５の外周壁の外側に嵌合し得る寸法を有している。また、この外周壁部５７は、テープ引き出し窓６５を形成するための切欠５７ａを備えている。そして、この外周壁部５７の延出端には、前記サブカバー５３とインロー係合する係合部６７を設けている。
【００３６】
前記メインカバー４３の前記内周壁部５９は、図７〜図１０に示すように、前記貫通孔２１ａの周縁部から左側方に向けて延設された部分円筒状をなすもので、前記メインボディ１５のテープ保持部２１の内周壁４１の切欠部４１ａ内に位置するように設定されている。
【００３７】
前記メインカバー４３の前記吸盤弁駆動部４５は、前記可動体６の昇降動作を利用して前記開閉手段４を構成する吸盤弁９を開閉動作させるためのもので、前記メインカバー４３のカバー本体５５の下端部に一体に設けられている。詳述すれば、この吸盤弁駆動部４５は、図６〜図１３に示すように、前記吸盤弁９を閉止位置（Ｃ）方向に押圧する押圧部分６９と、前記吸盤弁９を開き位置（Ｏ）方向に引き上げる引き上げ部分７１と、前記吸盤弁９を閉止位置（Ｃ）から開き位置（Ｏ）までの間で昇降し得るように案内する案内部分７３と、前記ストッパ５１に当接して可動体６全体の上動を所定の位置で規制するための係止部分７５とを具備してなる。具体的に説明すれば、この吸盤弁駆動部４５は、図１０〜図１３に示すように、前記メインカバー４３の下端部外周縁から左側方に向けて一体に延設された外周壁状の天壁７９と、この天壁７９の前縁から下方に垂下された前壁８１と、前記天壁７９の後縁から下方に垂下された後壁８３と、この後壁８３及び前記前壁８１の下端部間に設けられた底壁８５とからなる駆動部本体７７を備えているもので、その駆動部本体７７は、左右に開放された箱体状をなしている。そして、その内部に、内部空間を上下にほぼ仕切る上下仕切り壁８７と、内部空間を前後に仕切る前後仕切り壁８９と、内部空間を左右に仕切る左右仕切り壁９１とが設けられている。前記底壁２３の下面には、底面視四角形状をなす隆起部９３が形成されており、この隆起部９３の平坦な先端面が前記押圧部分６９を構成している。前記上下仕切り壁８７の左右両端部は、前記駆動部本体７７の左右側面に合致させてあり、その左右両端部の上面を前記引き上げ部分７１として機能させている。前記前後仕切り壁８９の左右両端部には、前記駆動部本体７７の側面よりも外方に延出する延出突条９５が形成されており、この延出突条９５を前記案内部分７３として機能させている。この延出突条９５は、前記前後仕切り壁８９の下半領域から突設されたもので、面取りを施された上端部が上下仕切り壁８７の下面付近に位置させてある。前記前壁２５の前面には、前記係止部分７５を構成する突起９７が設けられている。
【００３８】
一方、前記サブカバー５３は、図１、図３及び図７〜図９に示すように、その外周縁部から右側方に向けて延出された外周壁部５４を備えている。この外周壁部５４には切欠５４ａを設けている。この切欠５４ａは、前記メインカバー４３の外周壁部５７の切欠５７ａとともにテープ引き出し窓６５を形成している。
＜吸盤２＞
前記吸盤２は、図４〜図１３に示すように、被吸着面Ｓに吸着させるための吸盤ゴム７と、前記メインボディ１５のボディ本体１９の底壁２３に前記吸盤ゴム７を止着するための吸盤止め８とを備えている。
【００３９】
前記吸盤ゴム７は、円盤状をなす通常のもので、その中心に、前記ボディ本体１９の底壁２３のボス部２３ｂに外嵌する中心孔７ａを備えている。この吸盤ゴム７は、その中心孔７ａを前記ボス部２３ｂに外嵌させた状態で前記ボディ本体１９の底壁２３に設けられた円形凹陥部２３ａに収容されている。
【００４０】
前記吸盤止め８は、前記吸盤ゴム７が円形凹陥部２３ａから脱落するのを防止するためのもので、吸盤ゴム７の中心部下面に添接した状態でその中心突起８ａを前記ボス部２３ｂの先端に形成された取付凹部２３ｃに圧入させて取り付けられている。
【００４１】
なお、前記テープカッター本体１の底面における前記テープ切断手段を配した側の端縁すなわち前端縁１ａと前記吸盤２の軸心２ｃとの間の距離ｄは、図６に示すように、前記吸盤２の半径ｒよりも大きく設定されている。
【００４２】
以上説明した吸盤２と被吸着面Ｓとの間に形成される空間ＳＰは、連通路３を介して外部に連通させることができるようになっている。
＜連通路３＞
前記連通路３は、図６及び図１１〜図１３に示すように、前記吸盤止め８の中心に貫通させて設けられた吸盤止めポート３ａと、この吸盤止めポート３ａに連続させて前記ボディ本体１９の底壁２３の一部をなすボス部２３ｂの中心に設けられたボス部ポート３ｂと、このボス部ポート３ｂに連続させて後述する下シリコンシート１０の中心に設けられた弁座ポート３ｃとからなる。
【００４３】
この連通路３は、前記開閉手段４により開閉されるようになっている。
＜開閉手段４＞
前記開閉手段４は、図５、図６及び図１１〜図１３に示すように、前記吸盤弁駆動部４５に駆動されて昇降する吸盤弁９と、この吸盤弁９に対向させて前記ボディ本体１９の底壁２３の上面に添接された弁座として機能する下シリコンシート１０とを具備してなる。
【００４４】
前記吸盤弁９は、吸盤弁駆動部４５に対して微細な範囲で昇降する微動昇降体９９と、この微動昇降体９９に保持されて前記下シリコンシート１０に接離する弁体である上シリコンシート１０１とを具備してなり、前記可動体６が上方向への操作を受けた場合に閉止位置（Ｃ）から開き位置（Ｏ）に応動する。ここで、本実施形態では、弁座と、この弁座に接離する前記吸盤弁の弁体、具体的には、前記下シリコンシート１０と、前記上シリコンシート１０１とを、同一素材（シリコンゴム）による弾性体により構成している。
【００４５】
前記微動昇降体９９は、図１１〜図１３に示すように、平面視ほぼ四角形状をなす前記上シリコンシート１０１の周縁部を保持する枠体状の昇降体本体１０３と、この昇降体本体１０３の左右両側縁から上方に延出させた左右対をなす引き上げアーム１０５とを具備してなるもので、前記引き上げアーム１０５の先端部には、前記吸盤弁駆動部４５の引き上げ部分７１に接離する接離爪１０７が設けられているとともに、前記引き上げアーム１０５の中間部には、前記吸盤弁駆動部４５の案内部分７３に上下摺動可能に係り合うスリット１０９が形成されている。
【００４６】
前記可動体６の吸盤弁駆動部４５と前記吸盤弁９との間には、図１１〜図１３に示すように、前記可動体６の初期微動を吸収して前記吸盤弁９に伝達されるのを防止する遊び部分が設けられている。すなわち、前記可動体６が最も降下した状態では、前記吸盤弁駆動部４５の引き上げ部分７１と前記吸盤弁９の接離爪１０７との間に、前記遊び分のストロークｓ２に相当するクリアランス１１１が形成されており、このクリアランス１１１が前記遊び部分として機能する。この実施形態では、遊び分のストロークｓ２は、０．５ｍｍ前後に設定されている。
【００４７】
前記上シリコンシート１０１は、周縁部が前記微動昇降体９９の昇降体本体１０３の下面に接着された一定厚さを有するシート状のもので、中央部分が前記吸盤弁駆動部４５の押圧部分６９に押圧されて弁座である下シリコンシート１０に押し付けられ、この下シリコンシート１０の弁座ポート３ｃを塞ぐようになっている。
【００４８】
前記下シリコンシート１０は、一定厚さを有するシート状のもので、例えば平面視円形状をなしており、その中心に連通路３を構成する弁座ポート３ｃを有している。この下シリコンシート１０は、前記ボディ本体１９の底壁２３の上面に接着されている。
【００４９】
以上説明したテープカッターＴの作動を説明する。
【００５０】
このテープカッターＴは、テープカッター本体１の底面に吸盤２が設けてあるため、その吸盤２を天板面等の被吸着面Ｓに吸着させることにより、その被吸着面Ｓ上にテープカッターＴ全体を移動不能に安定保持させることができる。そのため、テープカッター本体１を重たいものにすることなく片手でテープｔを引き出してその先端側を刃物１１によって切り取ることができ、順次効率よくテープｔの貼着作業を行うことができる。
【００５１】
このような吸盤２による吸着状態から巻装状態のテープｔを保持するテープ保持軸１３の内周に形成される円形窓１３ａに手を入れてテープカッター本体１を上方に持ち上げると、吸盤弁９が開いて吸盤２と被吸着面Ｓとの間に外気が導入される。そのため、吸盤２による吸着が速やかに解除されてテープカッターＴ全体を大きな力を要することなく持ち上げて他の場所に移動させることができる。
【００５２】
詳述すれば、吸盤２が被吸着面Ｓに吸着している状態では、図１１に示すように、可動部であるメインカバー４３及びサブカバー５３は、自重で最降下位置に到達しており、メインカバー４３の吸盤弁駆動部４５に設けられた押圧部分６９で上シリコンシート１０１が下シリコンシート１０に押し付けられている。すなわち、前記上シリコンシート１０１と前記微動昇降体９９とからなる吸盤弁９は、弁座を構成する下シリコンシート１０に押し付けられて閉止位置（Ｃ）に停止しており、連通路３はこの吸盤弁９により閉鎖されている。そのため、吸盤２による吸着作用は維持されている。
【００５３】
この吸着状態においてテープ引き出し操作などに伴って前記テープカッター本体１に不測の振動等が加わった場合でも、この実施形態のテープカッターＴは、容易にその吸着状態が解除されることがない。すなわち、可動体６が遊び分のストロークｓ２の範囲内で基体５に対して不測の昇降動作を行っても、可動体６の動きは吸盤弁９には伝えられず、連通路３の閉止状態が維持されるようになっている。具体的には、図１１に示す吸着状態においては、微動昇降体９９の引き上げアーム１０５の接離爪１０７と吸盤弁駆動部４５の引き上げ部分７１との間には、前記遊び分のストロークｓ２に相当するクリアランスが形成されており、その範囲で可動体６が不測の微動昇降を行ってもその動きは吸盤弁９には伝えられることがない。図１２は、前記可動体６が前記遊び分のストロークｓ２の範囲内で最も上昇した中間状態を示している。この中間状態においては、微動昇降体９９の引き上げアーム１０５の接離爪１０７と吸盤弁駆動部４５の引き上げ部分７１とが接している。
【００５４】
この中間状態からさらに前記可動体６が意識的に引き上げられると、吸盤２駆動部の引き上げ部分７１の上昇力により微動昇降体９９の接離爪１０７が上方に付勢され、この微動昇降体９９とともに前記上シリコンシート１０１が上昇して前記下シリコンシート１０から離れる。その結果、下シリコンシート１０に開口させた連通路３が解放され、外気がその連通路３を通して吸盤２と被吸着面Ｓとの間の空間ＳＰに導入される。そのため、吸盤２による吸着作用が解除され、テープカッターＴ全体を被吸着面Ｓから容易に離間させることが可能となる。なお、前記可動体６の前記基体５に対する上動位置は、前記ストッパ５１により規制されているため、可動体６のみを把持して持ち上げてもテープカッターＴ全体を被吸着面Ｓから離間させることができる。図１３は、可動体６が基体５に対して最も上動した吸着解除状態を示しており、図１２に示す中間状態からこの図１３に示す吸着解除状態に至る間に吸着便が閉止位置（Ｃ）から開き位置（Ｏ）まで上動することになり、その吸盤弁９のストロークｓ１は、この実施形態では０．５ｍｍ前後に設定されている。ここで、図１１は、前記吸着状態にあるときの、図３におけるＢ−Ｂ断面及び図２におけるＣ−Ｃ断面を示す図である。図１２は、前記中間状態にあるときの、前記Ｂ−Ｂ断面及び前記Ｃ−Ｃ断面に相当する部位を示す図である。図１３は、前記吸着解除状態にあるときの、前記Ｂ−Ｂ断面及び前記Ｃ−Ｃ断面に相当する部位を示す図である。
【００５５】
なお、図１１に示す前記吸着状態では、可動体６を構成するメインカバー４３の係止部分７５と基体５を構成するサブボディのストッパ５１との間に、前記吸盤弁９のストロークｓ１と前記遊び分のストロークｓ２とを足し合わせた寸法に相当するクリアランスが形成されている。図１２に示す中間状態では、前記係止部分７５と前記ストッパ５１との間に、前記吸盤弁９のストロークｓ１に相当する寸法のクリアランスが形成されている。図１３に示す吸着解除状態では、前記係止部分７５と前記ストッパ５１とが接しており、これらの間のクリアランスが０となっている。
【００５６】
ここで、上述した実施形態では、簡単な操作かつ少ない作業ステップにより吸着状態を解除できるようにすべく、より具体的にはテープカッターＴを移動させるために上方に持ち上げる操作によって前記連通路３を開通させて吸着状態を解除できるようにすべく、開閉手段４を、弁座として機能する前記下シリコンシート１０と、この下シリコンシート１０に密着して前記連通路３を遮断する閉止位置（Ｃ）から前記下シリコンシート１０から離れて前記連通路３を開通させる開き位置（Ｏ）までの間で進退可能な吸盤弁９とを備えたものとしているとともに、前記可動体６が上方に向けて操作された場合に前記吸盤弁９が閉止位置（Ｃ）から開き位置（Ｏ）に応動するように構成している。しかし、開閉手段の構成は上述した実施形態のようなものに限らず、開閉手段を構成する吸盤弁を弁座に対して接離させる操作を行うための操作部を、例えばテープカッター本体における吸盤近傍の部位に設ける等、他の態様を採用してもかまわない。
【００５７】
また、前述したように、上述した実施形態では、吸着状態においてテープ引き出し操作などに伴って前記テープカッター本体１に不測の振動等が加わった場合でもその吸着状態が解除されることがないようにするために、前記可動体６と前記吸盤弁９との間に、前記可動体６の初期微動を吸収して前記吸盤弁９に伝達されるのを防止する遊び部分を設けている。しかしながら、他の手段により、前記テープカッター本体１に不測の振動等が加わった場合でもその吸着状態が解除されることがないようにしてもよい。
【００５８】
そして、テープｔの切断時においてテープカッターＴの重心がテープ切断手段である刃物１１を配した側に移動することによりテープカッターＴが転倒する不具合の発生を防止ないし抑制すべく、上述した実施形態では、前記テープカッター本体１の底面における刃物１１を配した側の端縁すなわち前端縁１ａと前記吸盤２の軸心２ｃとの間の距離ｄが、前記吸盤２の半径ｒよりも大きく設定されている。しかしながら、テープカッター本体の底面におけるテープ切断手段を配した側の端縁と吸盤の軸心との間の距離を吸盤の半径以下とし、倒れ止めのための手段を別途設けるようにしてももちろんかまわない。
【００５９】
加えて、上述した実施形態では、弁座として機能する下シリコンシート１０と弁体として機能する上シリコンシート１０１とを、同一素材（シリコンゴム）による弾性体により構成しているが、弁体及び弁座は、シリコンゴム以外の素材、例えばエラストマー樹脂により形成された弾性体により構成してももちろんかまわず、弁体及び弁座を異なる素材により構成してももちろんかまわない。但し、弁体及び弁座を同一素材による弾性体により構成すれば、閉止位置（Ｃ）において弁座と弁体とが密着しやすくなる、換言すればこれらの間に隙間ができにくくなるため、より効果的に吸盤２と被吸着面Ｓとの間の空間ＳＰから空気が漏れるのを抑制することができる。
【００６０】
なお、以上に述べた実施形態では、吸盤を基体であるメインボディの底面に固定した場合について説明したが、吸盤を基体に対して水平旋回できるようにしてもよい。換言すれば、テープカッター本体を、前記吸盤に対して当該吸盤の軸心周りに旋回し得るように構成してもよい。
【００６１】
また、テープカッター本体の形状は任意に設定してもよい。その場合、吸盤によりテープカッター本体を安定して吸着させるようにすべく、前記テープカッター本体に、その重心を前記吸盤の軸心上に位置させるための重心設定用の重りを備えさせるようにするとよい。
【００６２】
そして、以上の説明は、文具本体であるテープカッター本体を吸盤により被吸着面に吸着させることができる文具であるテープカッターに関するものであったが、本発明はテープカッター以外の文具に適用することももちろん可能である。このような文具の例として、文具本体であるペン立て本体を吸盤により被吸着面に吸着させることができるペン立て等が挙げられる。
【００６３】
その他、本発明の趣旨を損ねない範囲で種々に変更してよい。
【符号の説明】
【００６４】
Ｔ…テープカッター（文具）
１…テープカッター本体（文具本体）
２…吸盤
３…連通路
４…開閉手段
１１…テープ切断手段（刃物）
１３…テープ保持手段（テープ保持軸）
ｔ…テープ
Ｓ…被吸着面
【図１】
2018144973.tif 000003
【図２】
2018144973.tif 000004
【図３】
2018144973.tif 000005
【図４】
2018144973.tif 000006
【図５】
2018144973.tif 000007
【図６】
2018144973.tif 000008
【図７】
2018144973.tif 000009
【図８】
2018144973.tif 000010
【図９】
2018144973.tif 000011
【図１０】
2018144973.tif 000012
【図１１】
2018144973.tif 000013
【図１２】
2018144973.tif 000014
【図１３】
2018144973.tif 000015